(57)【要約】  【課題】ユーザの印刷内容に依存することなく、障害発生時の印刷を再現することができる画像処理システムを提供する。  【解決手段】画像処理装置２は、出力処理、再現データ保存処理及びその両方の処理のいずれを行うかを示す処理モードを受け付け、前記受け付けられた処理モードが再現データ保存処理を行うものである場合、前記生成された出力制御情報を外部記憶装置に書き出す。障害発生時には、障害が発生した画像処理装置２とは異なる画像処理装置２は、上位装置からの出力処理及び再現データの出力処理のいずれを行うかを示す処理モードを受け付け、前記受け付けられた処理モードが再現データの出力処理を行うものである場合、外部記憶装置から出力制御情報を読み出し、前記読み出された出力制御情報に基づいて画像イメージデータを生成する。【選択図】図３
2008117255.tif 000002
【特許請求の範囲】
【請求項１】
第１の画像処理装置において発生した障害を、第２の画像処理装置で再現させる方法であって、
前記第１の画像処理装置は、画像イメージデータと出力制御情報とを含む画像出力データのうち出力制御情報を外部記憶装置に書き出し、
前記第２の画像処理装置は、
前記外部記憶装置から前記出力制御情報を読み出し、
前記読み出された出力制御情報に基づいて画像イメージデータを生成し、
前記読み出された出力制御情報及び前記生成された画像イメージデータに基づいて画像出力処理を行う
画像処理障害再現方法。
【請求項２】
入力される画像データ及び制御データに基づいて、出力制御情報及び画像イメージデータを生成し、出力処理を行う画像処理装置であって、
出力処理、再現データ保存処理及びその両方の処理のいずれを行うかを示す処理モードを受け付ける処理モード受付手段と、
前記処理モード指定手段により受け付けられた処理モードが再現データ保存処理を行うものである場合、前記生成された出力制御情報を外部記憶装置に書き出す出力制御情報書出し手段と
を有する画像処理装置。
【請求項３】
前記出力制御情報書出し手段は、着脱可能な記録媒体である外部記憶装置に出力制御情報を書き出す
請求項２に記載の画像処理装置。
【請求項４】
ネットワークを介してデータの通信を行う通信手段をさらに有し、
前記通信手段は、ネットワークに接続されたコンピュータとの間で、外部記憶装置に記憶されている出力制御情報に関するデータの通信を行う
請求項２又は３に記載の画像処理装置。
【請求項５】
前記出力制御情報書出し手段は、前記通信手段により行われるデータの通信を介して、ネットワークに接続されたコンピュータに搭載された外部記憶装置に出力制御情報を書き出す
請求項５に記載の画像処理装置。
【請求項６】
入力される画像データ及び制御データに基づいて画像イメージデータを生成し、画像出力処理を行う画像処理装置であって、
出力処理及び再現データの出力処理のいずれを行うかを示す処理モードを受け付ける処理モード受付手段と、
前記処理モード指定手段により受け付けられた処理モードが再現データの出力処理を行うものである場合、外部記憶装置から出力制御情報を読み出す出力制御情報読出し手段と、
前記出力制御情報読出し手段により読み出された出力制御情報に基づいて画像イメージデータを生成する画像イメージデータ生成手段と
を有する画像処理装置。
【請求項７】
前記出力制御情報読出し手段は、着脱可能な記録媒体である外部記憶装置から出力制御情報を読み出す
請求項６に記載の画像処理装置。
【請求項８】
ネットワークを介してデータの通信を行う通信手段をさらに有し、
前記通信手段は、ネットワークに接続されたコンピュータとの間で、外部記憶装置に記憶されている出力制御情報に関するデータの通信を行う
請求項６又は７に記載の画像処理装置。
【請求項９】
前記出力制御情報読出し手段は、前記通信手段により行われるデータの通信を介して、ネットワークに接続されたコンピュータに搭載された外部記憶装置から出力制御情報を読み出す
請求項８に記載の画像処理装置。
【請求項１０】
画像イメージデータ生成手段は、ページ番号を含む画像イメージデータを生成する
請求項６乃至９のいずれかに記載の画像処理装置。
【請求項１１】
画像イメージデータ生成手段は、テキストとして可読化された出力制御情報を含む画像イメージデータを生成する
請求項６乃至１０のいずれかに記載の画像処理装置。
【請求項１２】
コンピュータを含み、入力される画像データ及び制御データに基づいて、出力制御情報及び画像イメージデータを生成し、出力処理を行う画像処理装置において、
出力処理、再現データ保存処理及びその両方の処理のいずれを行うかを示す処理モードを受け付ける処理モード受付ステップと、
前記受け付けられた処理モードが再現データ保存処理を行うものである場合、前記生成された出力制御情報を外部記憶装置に書き出す出力制御情報書出しステップと
を前記画像処理装置のコンピュータに実行させるプログラム。
【請求項１３】
コンピュータを含み、入力される画像データ及び制御データに基づいて画像イメージデータを生成し、画像出力処理を行う画像処理装置であって、
出力処理及び再現データの出力処理のいずれを行うかを示す処理モードを受け付ける処理モード受付ステップと、
前記受け付けられた処理モードが再現データの出力処理を行うものである場合、外部記憶装置から出力制御情報を読み出す出力制御情報読出しステップと、
前記読み出された出力制御情報に基づいて画像イメージデータを生成する画像イメージデータ生成ステップと
を前記画像処理装置のコンピュータに実行させるプログラム。
【発明の詳細な説明】
【技術分野】
【０００１】
本発明は、画像処理装置及びその障害再現方法に関する。
【背景技術】
【０００２】
一般に、画像処理装置を含む画像処理システムにおいて障害が発生した場合、障害解析のために、印刷データが必要となることがある。このような印刷データには、個人情報が含まれていることが多い。したがって、障害が、顧客先の画像処理システムにおいて発生した場合、印刷データを外部に持ち出せず、再現テストを行うことができない場合がある。印刷データの持ち出しが許可された場合においても、印刷データの容量によっては、膨大な記憶容量が必要であり、再現テストにも多大な時間を要する。
【０００３】
特許文献１では、印字障害が発生したときに記憶媒体に印刷データを記憶させて、障害調査部門での再現及び解析を可能にする手法が開示されている。しかしながら、顧客が印刷内容を秘匿にしておきたい場合、再現データはメーカー側には容易に再送されず、障害解析のために多大な時間を要してしまう。
【０００４】
特許文献２では、キーワードと共に指定した範囲をマスクする手法が開示されている。しかしながら、請求書印刷業務などでは、データの大部分が個人情報であるので、個別にキーワードを設定する作業は煩雑となる。また、マスクとして塗潰しや固定の文字（例えば“＊”）を用いてデータを置換する場合、置換後のデータ量は、置換前と同等であるかあるいは増大するので、サポートにデータを送付するために多大な時間を要してしまう。さらに、障害が発生することを予期してキーワード等を指定することはできない。
【０００５】
【特許文献１】特開平５−３３８２７９
【特許文献２】特開２００４−２１３３７６
【発明の開示】
【発明が解決しようとする課題】
【０００６】
本発明は、上述した背景からなされたものであり、ユーザの印刷内容に依存することなく、障害発生時の印刷を再現することができる画像処理障害再現方法を提供することを目的とする。
【課題を解決するための手段】
【０００７】
上記目的を達成するために、本発明に係る画像処理障害再現方法は、第１の画像処理装置において発生した障害を、第２の画像処理装置で再現させる方法であって、前記第１の画像処理装置は、画像イメージデータと出力制御情報とを含む画像出力データのうち出力制御情報を外部記憶装置に書き出し、前記第２の画像処理装置は、前記外部記憶装置から前記出力制御情報を読み出し、前記読み出された出力制御情報に基づいて画像イメージデータを生成し、前記読み出された出力制御情報及び前記生成された画像イメージデータに基づいて画像出力処理を行う。本発明によれば、ユーザの印刷内容に依存することなく、障害発生時の印刷を再現することができる。
【０００８】
また、本発明に係る第１の画像処理装置は、入力される画像データ及び制御データに基づいて、出力制御情報及び画像イメージデータを生成し、出力処理を行う画像処理装置であって、出力処理、再現データ保存処理及びその両方の処理のいずれを行うかを示す処理モードを受け付ける処理モード受付手段と、前記処理モード指定手段により受け付けられた処理モードが再現データ保存処理を行うものである場合、前記生成された出力制御情報を外部記憶装置に書き出す出力制御情報書出し手段とを有する。本発明によれば、ユーザの印刷内容に依存することなく、障害発生時の印刷を再現するためのデータを取得することができる。
【０００９】
好適には、前記出力制御情報書出し手段は、着脱可能な記録媒体である外部記憶装置に出力制御情報を書き出す。本発明によれば、再現データがネットワークを介して漏洩することを防止することができる。
【００１０】
好適には、ネットワークを介してデータの通信を行う通信手段をさらに有し、前記通信手段は、ネットワークに接続されたコンピュータとの間で、外部記憶装置に記憶されている出力制御情報に関するデータの通信を行う。本発明によれば、ネットワークに接続された他のコンピュータを介して、外部記憶装置に記憶されているデータの読み書きを行うので、サポートに要する時間を短縮することができ、障害の修復時間を短縮することができる。
【００１１】
好適には、前記出力制御情報書出し手段は、前記通信手段により行われるデータの通信を介して、ネットワークに接続されたコンピュータに搭載された外部記憶装置に出力制御情報を書き出す。本発明によれば、画像処理装置は、ネットワークに接続された例えばサーバ等、他のコンピュータの外部記憶装置にデータを格納するので、画像処理装置に障害が発生した場合においても、データを確実に取得することができる。
【００１２】
また、本発明に係る第２の画像処理装置は、入力される画像データ及び制御データに基づいて画像イメージデータを生成し、画像出力処理を行う画像処理装置であって、出力処理及び再現データの出力処理のいずれを行うかを示す処理モードを受け付ける処理モード受付手段と、前記処理モード指定手段により受け付けられた処理モードが再現データの出力処理を行うものである場合、外部記憶装置から出力制御情報を読み出す出力制御情報読出し手段と、前記出力制御情報読出し手段により読み出された出力制御情報に基づいて画像イメージデータを生成する画像イメージデータ生成手段とを有する。本発明によれば、ユーザの印刷内容に関するデータを用いることなく、障害発生時の印刷を再現することができる。
【００１３】
好適には、前記出力制御情報読出し手段は、着脱可能な記録媒体である外部記憶装置から出力制御情報を読み出す。
好適には、ネットワークを介してデータの通信を行う通信手段をさらに有し、前記通信手段は、ネットワークに接続されたコンピュータとの間で、外部記憶装置に記憶されている出力制御情報に関するデータの通信を行う。
【００１４】
好適には、前記出力制御情報読出し手段は、前記通信手段により行われるデータの通信を介して、ネットワークに接続されたコンピュータに搭載された外部記憶装置から出力制御情報を読み出す。本発明によれば、画像処理装置は、ネットワークに接続された他のコンピュータの外部記憶装置からデータを読み出すので、サポートに要する時間を短縮することができ、障害の修復時間を短縮することができる。
【００１５】
好適には、画像イメージデータ生成手段は、ページ番号を含む画像イメージデータを生成する。
好適には、画像イメージデータ生成手段は、テキストとして可読化された出力制御情報を含む画像イメージデータを生成する。
【００１６】
また、本発明に係る第１のプログラムは、コンピュータを含み、入力される画像データ及び制御データに基づいて、出力制御情報及び画像イメージデータを生成し、出力処理を行う画像処理装置において、出力処理、再現データ保存処理及びその両方の処理のいずれを行うかを示す処理モードを受け付ける処理モード受付ステップと、前記受け付けられた処理モードが再現データ保存処理を行うものである場合、前記生成された出力制御情報を外部記憶装置に書き出す出力制御情報書出しステップとを前記画像処理装置のコンピュータに実行させる。
【００１７】
さらに、本発明に係る第２のプログラムは、コンピュータを含み、入力される画像データ及び制御データに基づいて画像イメージデータを生成し、画像出力処理を行う画像処理装置であって、出力処理及び再現データの出力処理のいずれを行うかを示す処理モードを受け付ける処理モード受付ステップと、前記受け付けられた処理モードが再現データの出力処理を行うものである場合、外部記憶装置から出力制御情報を読み出す出力制御情報読出しステップと、前記読み出された出力制御情報に基づいて画像イメージデータを生成する画像イメージデータ生成ステップとを前記画像処理装置のコンピュータに実行させる。
【発明の効果】
【００１８】
本発明の画像処理システムによれば、ユーザの印刷内容に依存することなく、障害発生時の印刷を再現することができる。
【発明を実施するための最良の形態】
【００１９】
図１は、本発明の実施形態に係る画像処理システム１を示す図である。
図１に示すように、画像処理システム１は、サーバ装置１２、第１の画像処理装置２−１、第２の画像処理装置２−２、第１の画像形成装置１０−１及び第２の画像形成装置１０−２を含む。第１の画像処理装置２−１は、第１の画像形成装置１０−１と接続されており、第２の画像処理装置２−２は、第２の画像形成装置１０−２と接続されている。サーバ装置１２は、ＬＡＮ、ＷＡＮ等のネットワーク１４を介して第１の画像処理装置２−１及び第２の画像処理装置２−２と接続されている。なお、画像形成装置１０−１，１０−２は、ネットワーク１４を介して画像処理装置２−１，２−２に接続されてもよい。また、画像処理装置２−１，２−２など、複数ある構成部分のいずれかを特定せずに示すときには、単に画像処理装置２などと略記することがある。
【００２０】
画像処理装置２−１，２−２は、画像データ及び制御データを含む印刷データ（入力データ）を例えば図示しないパーソナルコンピュータ（ＰＣ）等の端末装置から送信されると、印刷データに基づいて画像イメージデータ及び出力制御情報を生成し、この出力制御情報に基づいて画像形成装置１０−１，１０−２の印刷処理を制御する。画像処理装置２−１，２−２は、例えば、画像形成装置１０−１，１０−２による印刷処理を制御するプリンタコントローラである。なお、画像処理装置２−１，２−２は、画像形成装置１０−１，１０−２に含まれてもよい。 
【００２１】
画像形成装置１０−１，１０−２は、例えば、プリンタ、複写機等であり、プリントエンジンを含む印刷手段を有する。画像形成装置１０−１，１０−２は、画像処理装置２−１，２−２から画像イメージデータ及び出力制御情報を受け付けると、当該出力制御情報に基づいて画像を用紙上に印刷する。
【００２２】
また、画像処理装置２−１は、出力処理、再現データ保存処理及びその両方の処理のいずれを行うかを示す処理モードを受け付け、前記受け付けられた処理モードが再現データ保存処理を行うものである場合、前記生成された出力制御情報を後述する例えばＦＤ、ＣＤ、ＤＶＤ、テープ等の外部記憶装置（記録媒体）に書き出す。さらに、画像処理装置２−２は、上位装置（例えば図示しない端末装置等）からの出力処理及び再現データの出力処理のいずれを行うかを示す処理モードを受け付け、前記受け付けられた処理モードが再現データの出力処理を行うものである場合、外部記憶装置から出力制御情報を読み出し、前記読み出された出力制御情報に基づいて画像イメージデータを生成する。
【００２３】
したがって、第１の画像処理装置２−１は、画像イメージデータと出力制御情報とを含む画像出力データのうち出力制御情報を外部記憶装置に書き出し、第２の画像処理装置２−２は、外部記憶装置から前記出力制御情報を読み出し、前記読み出された出力制御情報に基づいて画像イメージデータを生成し、前記読み出された出力制御情報及び前記生成された画像イメージデータに基づいて画像出力処理を行う。このようにして、第２の画像処理装置２−２は、外部記憶装置を介してデータを取得して、第１の画像処理装置２−１において実行された処理を再現する。なお、第１の画像処理装置２−１は、同様にして、第２の画像処理装置２−２において実行された処理を再現してもよい。
【００２４】
サーバ装置１２は、画像処理装置２−１，２−２との間で、画像処理装置２−１，２−２に搭載された外部記憶装置に記憶されている出力制御情報に関するデータの通信を行う。また、サーバ装置１２は外部記憶装置を有し、画像処理装置２−１，２−２は、サーバ装置１２に搭載された外部記憶装置に出力制御情報を書き出し、当該外部記憶装置から出力制御情報を読み出す。
【００２５】
図２は、本発明の実施形態に係る画像処理装置２及びサーバ装置１２のハードウェア構成を示す図である。
図２に例示するように、画像処理装置２等は、ＣＰＵ１８、メモリ２０、ハードディスクドライブ等の記憶装置２２、ＦＤ、ＣＤ、ＤＶＤあるいはテープ等の外部記憶装置（記録媒体）に対してデータの書込み・読出し処理を行う記録媒体インタフェース（ＩＦ）２４、タッチパネル又は液晶ディスプレイ並びにキーボードを含むユーザインタフェース（ＵＩ）装置２６、及びネットワーク１４を介して外部のコンピュータなどとデータの通信を行う通信ＩＦ２８を有する。画像処理装置２は、画像形成装置１０に対して画像データイメージ及び出力制御情報に関するデータを出力するための印刷ＩＦ３０をさらに有する。これらの構成要素は、システムバス１６を介して互いに接続されている。
【００２６】
画像処理装置２は、例えば、後述する画像処理プログラム４がインストールされた汎用コンピュータである。ここで、画像イメージデータ、出力制御情報に関するデータ、及びこれらを含む画像出力データは、通信ＩＦ２８を介して入力されてもよいし、ＤＶＤ等の記録媒体を介して記録媒体ＩＦ２４により読み込まれて記憶装置２２に格納されてもよい。記憶装置２２に保存されているデータは、記録媒体ＩＦ２４により記録媒体に書き出されてもよい。
【００２７】
図３は、本発明の実施形態に係る画像処理装置２による再現処理方法を実現する画像処理プログラム４の機能構成を示す図である。
図３に示すように、画像処理プログラム４は、データ受付部４０、画像描画部４２、データ記憶部４４、印刷制御部４６、制御情報読出し部４８、画像付加部５０、制御情報書出し部５４及び処理モード受付部５２を有する。なお、画像処理プログラム４の全部又は一部の機能は、画像処理装置２に設けられた例えばＡＳＩＣなどのハードウェアにより実現されてもよい。
【００２８】
画像処理プログラム４において、処理モード受付部５２は、ネットワーク１４を介して接続されたコンピュータを用いて入力される処理モード又はＵＩ装置２６を介して入力される処理モードを受け付け、当該受け付けられた処理モードを画像処理プログラム４の他の構成要素に対して出力する。処理モードには、出力制御情報の書き出しの実行の有無について、出力処理、再現データ保存処理、及びその両方の処理を行う処理モードが含まれる。ユーザは、これらの処理モードのうちのいずれか一つの処理モードを選択し、ＵＩ装置２６等を介して入力する。
【００２９】
また、処理モードには、再現処理の実行の有無について、例えば端末装置等の上位装置から実行される通常の出力処理、及び再現データの出力処理を行う処理モードが含まれる。ユーザは、これらの処理モードのうちのいずれか一つの処理モードを選択し、ＵＩ装置２６等を介して入力する。
【００３０】
データ受付部４０は、通信ＩＦ２８を介して端末装置等から印刷対象の画像を含む入力データを受け付ける。入力データには、画像データと制御データとが含まれる。画像データは、用紙上に印刷される画像を表現するデータである。制御データは、画像の印刷を制御するデータであって、ページ等の属性及び用紙サイズ等の印刷動作を記述するものである。データ受付部４０は、受け付けた入力データを画像描画部４２に対して出力する。
【００３１】
画像描画部４２は、入力データをデータ受付部４０から入力し、入力データに含まれている画像データに基づいて画像を描画して、画像イメージデータを生成する。例えば、画像描画部４２は、ページ記述言語で記述された画像データを解釈して画像を描画する。また、画像描画部４２は、制御データに基づいて出力制御情報を生成する。画像描画部４２は、描画された画像イメージデータ及び出力制御情報を含む画像出力データをデータ記憶部４４に格納する。
【００３２】
データ記憶部４４は、画像イメージデータと出力制御情報とを含む画像出力データを記憶する。データ記憶部４４は、記憶装置２２により実現される。したがって、データがデータ記憶部４４に記憶されている場合、当該データは、記録媒体ＩＦ２４によりＤＶＤ等の記録媒体に書き出されうる。なお、データ記憶部４４に記憶されている画像イメージデータ及び出力制御情報については、後で詳述する。
【００３３】
印刷制御部４６は、データ記憶部４４に記憶されている画像イメージデータ及び出力制御情報を読み出し、画像が用紙上に印刷されるように出力制御情報に基づいて画像形成装置１０を制御する。より具体的には、印刷制御部４６は、画像のそれぞれの画像部分（例えば、ページ）を、当該画像部分の印刷を制御する出力制御情報（用紙サイズ、拡大縮小、両面印刷等）に基づいて印刷するように画像形成装置１０を制御する。なお、印刷制御部４６は、印刷制御処理の前処理として、色変換処理、階調補正処理等の画像処理を画像に対して施してもよい。
【００３４】
制御情報書出し部５４は、出力制御情報の書き出しの実行の有無について処理モード受付部５２により受け付けられた処理モードが、再現データ保存処理を行うものである場合、データ記憶部４４に記憶されている画像出力データのうち出力制御情報を読み出し、記録媒体ＩＦ２４を介して出力制御情報を記録媒体に書き出す。制御情報書出し部５４は、ネットワーク１４を介して接続されたサーバ装置１２に搭載された記録媒体に出力制御情報を書き出してもよい。この場合、制御情報書出し部５４は、出力制御情報に関するデータを通信ＩＦ２８を介してサーバ装置１２に対して送信し、サーバ装置１２は送信された出力制御情報を記録媒体に書き出す。
【００３５】
制御情報読出し部４８は、再現処理の実行の有無について処理モード受付部５２により受け付けられた処理モードが、再現データの出力処理を行うものである場合、記録媒体ＩＦ２４を介して出力制御情報を記録媒体から読み出す。制御情報書出し部５４は、ネットワーク１４に接続されたサーバ装置１２に搭載された記録媒体から通信ＩＦ２８を介して出力制御情報を読み出してもよいし、サーバ装置１２から送信された出力制御情報を受け付けてもよい。制御情報読出し部４８は、このようにして読み出した出力制御情報を画像付加部５０に対して出力する。なお、出力制御情報は、当該出力制御情報が生成された画像処理装置２（例えば、第１の画像処理装置２−１）とは異なる画像処理装置２（例えば、第２の画像処理装置２−２）により読み出されてもよい。
【００３６】
画像付加部５０は、制御情報読出し部４８により読み出された出力制御情報に基づいて画像イメージデータを生成し、出力制御情報に画像イメージデータを付加してデータ記憶部４４に格納する。より具体的には、画像付加部５０は、出力制御情報に含まれている内容（ページ等の属性及び用紙サイズ等の印刷動作など）が用紙上に印刷されるように、画像イメージデータを生成する。例えば、画像付加部５０は、ページ番号を含む画像イメージデータを生成する。また例えば、画像付加部５０は、テキストとして可読化された出力制御情報を含む画像イメージデータを生成する。なお、画像付加部５０により付加される画像イメージデータは、後で詳述する。このようして、画像付加部５０は、画像イメージデータ生成手段を構成する。
【００３７】
画像処理プログラム４は、これらの構成により、出力処理、再現データ保存処理及びその両方の処理のいずれを行うかを示す処理モードを受け付け、前記受け付けられた処理モードが再現データ保存処理を行うものである場合、前記生成された出力制御情報を外部記憶装置に書き出す。また、画像処理プログラム４は、これらの構成により、上位装置からの出力処理及び再現データの出力処理のいずれを行うかを示す処理モードを受け付け、前記受け付けられた処理モードが再現データの出力処理を行うものである場合、外部記憶装置から出力制御情報を読み出す。 
【００３８】
図４は、データ記憶部４４に記憶されている描画された画像イメージデータ６２−１〜６２−５と、当該画像イメージデータ６２−１〜６２−５のそれぞれの印刷を制御する出力制御情報６０−１〜６０−５とを例示する図である。なお、画像イメージデータ６２−１〜６２−５など複数ある構成部分のいずれかを特定せずに示す場合には、単に画像６２などと略記することがある。また、画像イメージデータ及び出力制御情報の数（本例では５）は、本例に限定されない。
図４に例示するように、出力制御情報６０には、次の制御情報へのリンク、ページ番号、用紙サイズ並びに両面印刷の有無などの制御情報、及び作成日付並びに画像イメージデータのアドレス（画像アドレス）などの属性情報が含まれる。
【００３９】
画像イメージデータ６２には、例えば顧客名等を含む個人情報等、及び任意の画像が含まれる。このような画像イメージデータ６２は、いずれかの出力制御情報６０に対応付けられている。この対応関係は、出力制御情報に含まれる画像アドレスにより形成される。印刷制御部４６は、出力制御情報６０に含まれる画像アドレスを参照して、当該出力制御情報６０を用いて印刷すべき画像イメージデータ６２を認識する。したがって、印刷制御部４６は、出力制御情報６０−１〜６０−５を参照し、出力制御情報６０−１〜６０−５のそれぞれに含まれている画像アドレスに基づいて対応する画像イメージデータ６２−１〜６２−５を認識し、画像イメージデータ６２−１〜６２−５の印刷処理を順に行う。
【００４０】
図５は、制御情報読出し部４８及び画像付加部５０の動作を詳細に説明する図である。
図５に示すように、制御情報読出し部４８は、例えば図中の出力制御情報６０−１〜６０−５を受け付ける。このような出力制御情報６０は、例えば、障害が発生した他の画像処理装置２から取得されたものであり、再現データとして再現テストに用いられるものである。再現テスト時には、画像イメージデータと出力制御情報とが必要となるが、画像イメージデータは、当該障害が発生した画像処理装置２から取得されていない。そこで、画像付加部５０は、読み出された出力制御情報６０に基づいて画像イメージデータ６４を生成して当該出力制御情報６０に付加する。
【００４１】
図中の画像イメージデータ６４−１〜６４−５は、読み出された出力制御情報６０−１〜６０−５に基づいて画像付加部５０により生成されて付加されたものである。画像イメージデータ６４は、出力制御情報６０の内容が画像として描画されて生成される。例えば、本例では、生成された画像イメージデータには、ページ番号が含まれている。このように生成されて付加された画像イメージデータ６４と、出力制御情報６０とがデータ記憶部４４に保存されると、画像イメージデータ６４等が印刷制御部４６により読み出されて、画像が用紙上に印刷される。印刷処理は、出力制御情報６０に基づいて実行されるので、用紙サイズ、両面印刷の有無などの制御は、障害発生時と同様に再現される。このため、画像処理システム１は、障害が発生した画像処理装置２に記憶されている画像イメージデータを用いることなく、出力制御情報を再現データとして用いることにより、再現テストを行うことができる。よって、再現テストにおいて印刷された用紙には、個人情報等は含まれない。
【００４２】
図６は、画像付加部５０により生成される画像イメージデータの変形例を示す図である。
図６に示すように、生成された画像イメージデータ６６には、テキストとして可読化された出力制御情報６０が含まれている。
【００４３】
図７は、本発明の実施形態に係る画像処理システム１における入力データの印刷処理（Ｓ１０）のフローチャートを示す図である。
図７に示すように、ステップ１００（Ｓ１００）において、画像処理装置２で動作する画像処理プログラム４のデータ受付部４０は、端末装置等から通信ＩＦ２８を介して、画像データと制御データとを含む入力データを受け付ける。
ステップ１０２（Ｓ１０２）において、画像描画部４２は、データ受付部４０から入力された入力データに基づいて出力制御情報を生成してデータ記憶部４４に格納する。
【００４４】
ステップ１０４（Ｓ１０４）において、処理モード受付部５２は、処理モードを受け付け、処理モードが、通常の出力処理、再現データ保存処理、及びその両方の処理のいずれかであるかを判定する。画像処理プログラム４は、処理モードが通常の出力処理を行うものである場合にはＳ１０６の処理に進み、処理モードが再現データ保存処理を行うものである場合にはＳ１１６の処理に進み、処理モードが通常の出力処理及び再現データ保存処理の双方を行うものである場合にはＳ１１０の処理に進む。なお、処理モードは、Ｓ１００の処理の前処理として受け付けられ、メモリ２０又は記憶装置２２に記憶されていてもよい。
【００４５】
処理モードが通常の出力処理を行うものである場合、ステップ１０６（Ｓ１０６）において、画像描画部４２は、画像イメージデータを生成してデータ記憶部４４に格納する。
ステップ１０８（Ｓ１０８）において、印刷制御部４６は、データ記憶部４４に格納されている画像イメージデータと出力制御情報とを読み出して、画像が用紙上に形成されるように、出力制御情報に基づいて画像形成装置１０を制御する。画像形成装置１０は、出力制御情報に基づいて画像を用紙上に印刷する。
【００４６】
処理モードが通常の出力処理及び再現データ保存処理の双方を行うものである場合、ステップ１１０（Ｓ１１０）において、画像描画部４２は、画像イメージデータを生成してデータ記憶部４４に格納する。
ステップ１１２（Ｓ１１２）において、印刷制御部４６は、Ｓ１０８の処理と同様にして、印刷制御処理を行う。
ステップ１１４（Ｓ１１４）において、制御情報書出し部５４は、データ記憶部４４に記憶されている出力制御情報を読み出し、記録媒体ＩＦ２４を介して出力制御情報を記録媒体に書き出す。
【００４７】
処理モードが再現データ保存処理を行うものである場合、ステップ１１６（Ｓ１１６）において、制御情報書出し部５４は、Ｓ１１４の処理と同様にして、出力制御情報を記録媒体に書き出す。
ステップ１１８（Ｓ１１８）において、画像処理プログラム４は、印刷処理を終了するか否かを判定し、終了する場合には処理を終了し、そうでない場合にはＳ１００の処理に戻る。
【００４８】
このような印刷処理の際に、画像処理装置２、画像形成装置１０等を含む画像処理システム１において、障害が発生した場合、記録媒体に書き出された出力制御情報が再現テストに用いられる。再現テストは、障害が発生した画像処理装置２とは異なる画像処理装置２において、当該出力制御情報に基づいて行われる。
【００４９】
図８は、本発明の実施形態に係る画像処理システム１における再現処理（Ｓ２０）のフローチャートを示す図である。
ステップ２００（Ｓ２００）において、処理モード受付部５２は、処理モードを受け付け、処理モードが通常の出力処理であるか又は再現データの出力処理であるかを判定する。画像処理プログラム４は、処理モードが通常の出力処理である場合にはＳ２０２の処理に進み、再現データの出力処理である場合にはＳ２０６の処理に進む。なお、処理モードは、Ｓ２００の処理の前処理として受け付けられ、メモリ２０又は記憶装置２２に記憶されていてもよい。
【００５０】
処理モードが通常の出力処理である場合、Ｓ２０２、Ｓ２０４、Ｓ２１０及びＳ２１２の処理において、それぞれＳ１００、Ｓ１０２、Ｓ１１０及びＳ１１２の処理と同様の処理が実行される。
【００５１】
処理モードが再現データの出力処理である場合、ステップ２０６（Ｓ２０６）において、制御情報読出し部４８は、記録媒体ＩＦ２４を介して出力制御情報を記録媒体から読み出す。
ステップ２０８（Ｓ２０８）において、画像付加部５０は、読み出された出力制御情報に基づいて画像イメージデータを生成してデータ記憶部４４に格納する。
その後、Ｓ２１０及びＳ２１２の処理が実行される。
【００５２】
ステップ２１４（Ｓ２１４）において、画像処理プログラム４は、再現処理を終了するか否かを判定し、終了する場合には処理を終了し、そうでない場合にはＳ２００の処理に戻る。
【図面の簡単な説明】
【００５３】
【図１】本発明の実施形態に係る画像処理システム１を示す図である。
【図２】本発明の実施形態に係る画像処理装置２及び端末装置１２のハードウェア構成を示す図である。
【図３】本発明の実施形態に係る画像処理装置２による画像処理方法を実現する画像処理プログラム４の機能構成を示す図である。
【図４】データ記憶部４４に記憶されている描画された画像イメージデータ６２−１〜６２−５と、当該画像イメージデータ６２−１〜６２−５のそれぞれの印刷を制御する出力制御情報６０−１〜６０−５とを例示する図である。
【図５】制御情報読出し部４８及び画像付加部５０の動作を詳細に説明する図である。
【図６】画像付加部５０により生成される画像イメージデータの変形例を示す図である。
【図７】本発明の実施形態に係る画像処理システム１における入力データの印刷処理（Ｓ１０）のフローチャートを示す図である。
【図８】本発明の実施形態に係る画像処理システム１における再現処理（Ｓ２０）のフローチャートを示す図である。
【符号の説明】
【００５４】
１ 画像処理システム
２ 画像処理装置
４ 画像処理プログラム
１０ 画像形成装置
１２ サーバ装置
１４ ネットワーク
１６ システムバス
１８ ＣＰＵ
２０ メモリ
２２ 記憶装置
２４ 記録媒体ＩＦ
２６ ＵＩ装置
２８ 通信ＩＦ
３０ 印刷ＩＦ
４０ データ受付部
４２ 画像描画部
４４ データ記憶部
４６ 印刷制御部
４８ 制御情報読出し部
５０ 画像付加部
５２ 処理モード受付部
５４ 制御情報書出し部
【図１】
2008117255.tif 000003
【図２】
2008117255.tif 000004
【図３】
2008117255.tif 000005
【図４】
2008117255.tif 000006
【図５】
2008117255.tif 000007
【図６】
2008117255.tif 000008
【図７】
2008117255.tif 000009
【図８】
2008117255.tif 000010